(57)【要約】【課題】内燃機関の運転状態に応じ、オイルの吐出に必要な動力を必要最小限に抑えることが可能な可変容量型オイルポンプの制御装置を提供する。【解決手段】エンジン回転数および油温に応じた目標吐出油圧を決定する（ステップＳＴ２）。エンジン回転数が上昇傾向にある場合、エンジン回転数が高いほど、目標吐出油圧到達時間を短く設定し（ステップＳＴ５）、目標吐出油圧を算出するための時定数を小さく設定して吐出油圧の応答性を高める。これにより、各摺動部分に対する潤滑性能や冷却性能を早期に確保する。一方、エンジン回転数が下降傾向にある場合、エンジン回転数が低いほど、目標吐出油圧到達時間を短く設定し（ステップＳＴ６）、目標吐出油圧を算出するための時定数を小さく設定して吐出油圧の応答性を高める。これにより、エンジンの動力がオイルポンプによって浪費されてしまうことを抑制して燃料消費率の改善を図る。【選択図】図７
2014159759.tif 000002
【特許請求の範囲】
【請求項１】
内燃機関の動力を受けて作動すると共に容量可変機構を備えた可変容量型オイルポンプの制御装置において、
前記内燃機関の回転速度が高いほど前記可変容量型オイルポンプの目標吐出油圧が高く設定され、
前記内燃機関の回転速度が上昇している期間中にあっては、前記内燃機関の回転速度が高いほど、前記可変容量型オイルポンプの実吐出油圧の前記目標吐出油圧への追従性を高く設定する一方、
前記内燃機関の回転速度が下降している期間中にあっては、前記内燃機関の回転速度が低いほど、前記可変容量型オイルポンプの実吐出油圧の前記目標吐出油圧への追従性を高く設定する構成とされていることを特徴とする可変容量型オイルポンプの制御装置。
【請求項２】
請求項１記載の可変容量型オイルポンプの制御装置において、
前記可変容量型オイルポンプの実吐出油圧が前記目標吐出油圧に達するまでの時間である目標吐出油圧到達時間を短縮させるようにポンプ容量を制御することによって、この実吐出油圧の前記目標吐出油圧への追従性を高く設定することを特徴とする可変容量型オイルポンプの制御装置。
【請求項３】
請求項１または２記載の可変容量型オイルポンプの制御装置において、
前記目標吐出油圧は、油温が高いほど高く設定されることを特徴とする可変容量型オイルポンプの制御装置。
【請求項４】
請求項２記載の可変容量型オイルポンプの制御装置において、
前記内燃機関の回転速度の上昇期間を対象として、前記内燃機関の回転速度が所定値以下である低回転域と所定値を超えている高回転域とが予め規定されており、
前記低回転域において前記内燃機関の回転速度が上昇していく場合における、前記内燃機関の回転速度の単位上昇量に対する前記目標吐出油圧到達時間の変化量に対して、前記低回転域から高回転域に移行する場合における、前記内燃機関の回転速度の単位上昇量に対する前記目標吐出油圧到達時間の変化量の方が大きく設定されていることを特徴とする可変容量型オイルポンプの制御装置。
【請求項５】
請求項２または４記載の可変容量型オイルポンプの制御装置において、
前記内燃機関の回転速度の下降期間を対象として、前記内燃機関の回転速度が所定値以下である低回転域と所定値を超えている高回転域とが予め規定されており、
前記高回転域において前記内燃機関の回転速度が下降していく場合における、前記内燃機関の回転速度の単位下降量に対する前記目標吐出油圧到達時間の変化量に対して、前記高回転域から低回転域に移行する場合における、前記内燃機関の回転速度の単位下降量に対する前記目標吐出油圧到達時間の変化量の方が大きく設定されていることを特徴とする可変容量型オイルポンプの制御装置。
【発明の詳細な説明】
【技術分野】
【０００１】
本発明は可変容量型オイルポンプの制御装置に係る。特に本発明は、内燃機関における被潤滑部にオイルを供給するためのオイルポンプの制御の改良に関する。
【背景技術】
【０００２】
従来、特許文献１および特許文献２に開示されているような可変容量型オイルポンプが知られている。この種のオイルポンプは例えば内燃機関からの動力を受けて作動すると共に、容量可変機構が備えられ、この容量可変機構によってポンプ容量が可変とされる。
【０００３】
例えば特許文献２に開示されている可変容量型オイルポンプは、インナロータおよびアウタロータをその外周側から回転自在に保持する調整リングを備えており、吐出ポートからハウジングの加圧空間に導入された油圧を利用して調整リングを回動させてインナロータおよびアウタロータをポンプ容量が減少する側に変位させる構成となっている。つまり、エンジン回転数が高くなるなどしてオイルポンプの吐出圧が高くなった場合にはポンプ容量が減少する側に調整リングを回動させ、逆に、エンジン回転数が低くなるなどしてオイルポンプの吐出圧が低くなった場合にはポンプ容量が増大する側に調整リングを回動させる構成となっている。
【先行技術文献】
【特許文献】
【０００４】
【特許文献１】特開平１０−２８１１０２号公報
【特許文献２】特開２０１２−１３２３５６号公報
【発明の概要】
【発明が解決しようとする課題】
【０００５】
一般に、オイルポンプにあっては、オイルの吐出に必要な動力（エンジンから受ける動力）を必要最小限に抑えてエンジンの燃料消費率の改善を図ることが求められている。
【０００６】
また、オイルポンプに要求されるオイル吐出圧力（目標吐出圧）は、エンジン回転数によって異なっている。具体的には、エンジン回転数が高いほど、エンジン内部の各摺動部分に対する潤滑性能要求や冷却性能要求も高くなることから、このエンジン回転数が高いほど高いオイル吐出圧力が得られるようにポンプ容量を制御することが考えられる。
【０００７】
しかしながら、単にエンジン回転数（エンジン回転数の現在値）のみによってポンプ容量を制御した場合には、前記各摺動部分に対する潤滑性能や冷却性能が適切に確保できない可能性があることを本発明の発明者らは見出した。
【０００８】
つまり、エンジン回転数が急速に上昇する状況にあっては、各摺動部分に対する潤滑性能や冷却性能を十分に確保するだけのオイル吐出圧力が得られない期間が生じてしまう可能性があった。逆に、エンジン回転数が急速に下降する状況にあっては、必要以上にオイル吐出圧力が高くなってしまう期間が生じ、エンジンの動力がオイルポンプによって浪費されてしまって燃料消費率の悪化に繋がってしまう可能性があった。
【０００９】
本発明は、かかる点に鑑みてなされたものであり、その目的とするところは、内燃機関の運転状態に応じ、オイルの吐出に必要な動力を必要最小限に抑えることが可能な可変容量型オイルポンプの制御装置を提供することにある。
【課題を解決するための手段】
【００１０】
−発明の解決原理−
前記の目的を達成するために講じられた本発明の解決原理は、内燃機関の回転数が上昇していく状況では、内燃機関の回転数が高いほど目標吐出圧に向けての油圧制御の応答性を高めて必要潤滑性能が早期に得られるようにする。一方、内燃機関の回転数が下降していく状況では、内燃機関の回転数が低いほど目標吐出圧に向けての油圧制御の応答性を高めてオイルポンプによる動力の浪費を早期に解消できるようにしている。
【００１１】
−解決手段−
具体的に、本発明は、内燃機関の動力を受けて作動すると共に容量可変機構を備えた可変容量型オイルポンプの制御装置を前提とする。この可変容量型オイルポンプの制御装置に対し、前記内燃機関の回転速度が高いほど前記可変容量型オイルポンプの目標吐出油圧を高く設定する。そして、前記内燃機関の回転速度が上昇している期間中にあっては、前記内燃機関の回転速度が高いほど、前記可変容量型オイルポンプの実吐出油圧の前記目標吐出油圧への追従性を高く設定する一方、前記内燃機関の回転速度が下降している期間中にあっては、前記内燃機関の回転速度が低いほど、前記可変容量型オイルポンプの実吐出油圧の前記目標吐出油圧への追従性を高く設定する構成としている。
【００１２】
この特定事項により、内燃機関の回転速度が上昇している期間中には、内燃機関の回転速度が高いほど、可変容量型オイルポンプの実吐出油圧が早期に目標吐出油圧に到達することになる。つまり、内燃機関の回転速度が上昇している場合、各摺動部分に対する潤滑性能や冷却性能を十分に確保するために必要となるオイル吐出圧力は高くなり、しかも、内燃機関の回転速度が高いほど、その要求されるオイル吐出圧力は高くなる。このような状況で、オイル吐出圧力が高くなる側への可変容量型オイルポンプの作動の追従性を高めることで、各摺動部分に要求される潤滑性能や冷却性能を早期に達成することが可能になる。一方、内燃機関の回転速度が下降している期間中には、内燃機関の回転速度が低いほど、可変容量型オイルポンプの実吐出油圧が早期に目標吐出油圧に到達することになる。つまり、内燃機関の回転速度が下降している場合、各摺動部分に対する潤滑性能や冷却性能を確保するために必要となるオイル吐出圧力は比較的低く、しかも、内燃機関の回転速度が低いほど、その要求されるオイル吐出圧力は低くなる。このような状況で、オイル吐出圧力が低くなる側への可変容量型オイルポンプの作動の追従性を高めることで、内燃機関の動力がオイルポンプによって浪費されてしまうことを早期に解消でき、燃料消費率の改善を図ることが可能になる。
【００１３】
前記実吐出油圧の前記目標吐出油圧への追従性を高く設定するための具体的な手段としては、前記可変容量型オイルポンプの実吐出油圧が前記目標吐出油圧に達するまでの時間である目標吐出油圧到達時間を短縮させるようにポンプ容量を制御することが挙げられる。
【００１４】
このように目標吐出油圧に達するまでの時間を短縮させるようにポンプ容量を制御することで、ポンプ容量の制御性を良好に確保することができ、適正なポンプ容量を精度良く得ることが可能になる。
【００１５】
また、前記目標吐出油圧を、油温が高いほど高く設定するようにしている。
【００１６】
つまり、前記目標吐出油圧を、前記内燃機関の回転速度が高いほど高く設定し、油温が高いほど高く設定するようにしている。このように油温が高いほど目標吐出油圧を高く設定する理由は、油温が高いほどオイルの冷却能力が小さくなることを考慮し、油温が高くても被冷却部に対する冷却性能が高く確保できるようにするためである。
【００１７】
前記目標吐出油圧到達時間の変化として具体的には以下のものが挙げられる。
【００１８】
まず、前記内燃機関の回転速度の上昇期間を対象として、前記内燃機関の回転速度が所定値以下である低回転域と所定値を超えている高回転域とを予め規定しておく。そして、前記低回転域において前記内燃機関の回転速度が上昇していく場合における、前記内燃機関の回転速度の単位上昇量に対する前記目標吐出油圧到達時間の変化量に対して、前記低回転域から高回転域に移行する場合における、前記内燃機関の回転速度の単位上昇量に対する前記目標吐出油圧到達時間の変化量の方を大きく設定している。
【００１９】
また、前記内燃機関の回転速度の下降期間を対象として、前記内燃機関の回転速度が所定値以下である低回転域と所定値を超えている高回転域とを予め規定しておく。そして、前記高回転域において前記内燃機関の回転速度が下降していく場合における、前記内燃機関の回転速度の単位下降量に対する前記目標吐出油圧到達時間の変化量に対して、前記高回転域から低回転域に移行する場合における、前記内燃機関の回転速度の単位下降量に対する前記目標吐出油圧到達時間の変化量の方を大きく設定している。
【００２０】
これらの構成により、内燃機関の回転速度が上昇している期間中にあっては、その回転速度が低回転域から高回転域に移行する際に急速に実吐出油圧の追従性を高く設定することが可能になり、各摺動部分に要求される潤滑性能や冷却性能を早期に達成することが可能になる。また、内燃機関の回転速度が下降している期間中にあっては、その回転速度が高回転域から低回転域に移行する際に急速に実吐出油圧の追従性を高く設定することが可能になり、内燃機関の動力がオイルポンプによって浪費されてしまうことを早期に抑制でき、燃料消費率の改善を図ることが可能になる。
【発明の効果】
【００２１】
本発明では、内燃機関の回転数の変化状況に応じて目標吐出油圧への追従性を調整するようにしている。これにより、内燃機関の回転数が上昇する状況にあっては、各摺動部分に対する潤滑性能や冷却性能が早期に確保され、内燃機関の回転数が下降する状況にあっては、必要以上に吐出圧力が高くなってしまう期間を短縮化して燃料消費率の改善を図ることができる。
【図面の簡単な説明】
【００２２】
【図１】実施形態に係るエンジンのオイル供給系統の一例を示す全体構成図である。
【図２】オイルポンプの構造を示す断面図であって、ポンプ容量が最大の状態を示す図である。
【図３】オイルポンプの構造を示す断面図であって、ポンプ容量が最小の状態を示す図である。
【図４】制御系の概略構成を示すブロック図である。
【図５】目標吐出油圧設定マップの一例を示す図である。
【図６】図６（ａ）はエンジン回転数が６０００ｒｐｍである場合のメインギャラリにおける油圧と油温との関係を実験により求めた図であり、図６（ｂ）はエンジン回転数が４０００ｒｐｍである場合のメインギャラリにおける油圧と油温との関係を実験により求めた図である。
【図７】ポンプ容量制御の手順を示すフローチャート図である。
【図８】図８（ａ）はエンジン回転数が上昇している場合におけるエンジン回転数と目標吐出油圧到達時間との関係を規定する回転上昇側マップを示す図であり、図８（ｂ）はエンジン回転数が下降している場合におけるエンジン回転数と目標吐出油圧到達時間との関係を規定する回転下降側マップを示す図である。
【発明を実施するための形態】
【００２３】
以下、本発明の実施の形態を図面に基づいて説明する。本実施形態では、自動車用の４気筒ガソリンエンジン（内燃機関）に搭載されたオイルポンプに本発明を適用した場合について説明するが、これに限ることはない。本実施形態の記載はあくまで例示に過ぎず、本発明の構成や用途などについても限定するものではない。
【００２４】
（エンジンおよびオイル供給系統の概略）
まず、図１に仮想線で示すようにエンジン１は、シリンダブロック１０の上部にシリンダヘッド１１が組み付けられてなる。シリンダブロック１０には４つのシリンダ（図示せず）が設けられ、それぞれに収容されているピストン１２（図には１つのみ示す）は、コネクティングロッド１２ａを介してクランクシャフト１３に連結されている。このクランクシャフト１３は、図の例では５つのクランクジャーナル１３ａにおいてシリンダブロック１０の下部（クランクケース）に回転自在に支持されている。
【００２５】
一方、シリンダヘッド１１には、各シリンダ毎の吸気バルブ１２ｂおよび排気バルブ１２ｃを駆動する動弁系のカムシャフト１４，１５が配設されている。一例として動弁系は、吸気側および排気側の２本のカムシャフト１４，１５を備えたＤＯＨＣタイプのもので、これらのカムシャフト１４，１５は、それぞれ図の例では５つのカムジャーナル１４ａ，１５ａにおいてシリンダヘッド１１に回転自在に支持されている。
【００２６】
そして、それら２本のカムシャフト１４，１５がクランクシャフト１３の回転に同期して回転され、吸気バルブ１２ｂおよび排気バルブ１２ｃを開閉させる。すなわち、クランクシャフト１３の前端部（図１の左側の端部）にはクランクスプロケット（図示せず）が取り付けられる一方、２本のカムシャフト１４，１５の端部にはそれぞれカムスプロケット１４ｂ，１５ｂが取り付けられ、それらに亘ってタイミングチェーン３が巻き掛けられている。これによりカムシャフト１４，１５は、クランクシャフト１３の回転に同期して回転される。
【００２７】
また、前記クランクスプロケットの後側に隣接してオイルポンプ５を駆動するためのスプロケット（図示せず）も取り付けられている。すなわち、オイルポンプ５は、クランクシャフト１３の前端部の下方に位置し、その入力軸５ａにはポンプスプロケット５ｂが取り付けられていて、このポンプスプロケット５ｂと前記クランクシャフト１３のスプロケットとの間にチェーン４が巻き掛けられている。
【００２８】
そうしてクランクシャフト１３からの力によって入力軸５ａが回転されると、オイルポンプ５から吐出されるエンジンオイル（以下、単にオイルともいう）がオイル供給系統２を介して、前記のピストン１２やクランクジャーナル１３ａ、カムジャーナル１４ａ，１５ａ、さらには、前記コネクティングロッド１２ａの軸受け部分などの被潤滑部に供給される。オイル供給系統２は、オイルポンプ５の動作によってオイルパン１６から吸い上げたオイルを、オイルフィルタ６によって濾過した後にメインギャラリ２０へと供給する。
【００２９】
すなわちオイルポンプ５は、オイルパン１６内に貯留されているオイルを、図示しないオイルストレーナを介して吸い上げ、吐出ポート５０ｅ（図２を参照）から吐出して連通路６ａによってオイルフィルタ６に送給する。オイルフィルタ６は、ハウジング内に収容されたフィルタエレメントによってオイル内の異物や不純物などを濾過するものであり、ここで濾過されたオイルがメインギャラリ２０に送給される。
【００３０】
メインギャラリ２０は、例えばシリンダブロック１０の内部にシリンダ列方向に延びるように形成されて、オイルポンプ５から送られてくるオイルを複数の分岐オイル通路２１〜２３によって被潤滑部などに分配する。図の例ではメインギャラリ２０の長手方向に等間隔で分岐しそれぞれ下方に延びる分岐オイル通路２１によって、クランクジャーナル１３ａ等にオイルが供給される。また、メインギャラリ２０の両端からそれぞれ上方に延びる分岐オイル通路２２，２３によって、シリンダヘッド１１のカムジャーナル１４ａ，１５ａなどにオイルが供給される。
【００３１】
（オイルポンプの構造）
以下にオイルポンプ５の構造について図２を参照して詳細に説明する。オイルポンプ５は、入力軸５ａにより回転される外歯車のドライブロータ５１と、これに噛み合って回転される内歯車のドリブンロータ５２と、そのドリブンロータ５２を外周から回転自在に保持する調整リング５３（保持部材）と、をハウジング５０（ポンプハウジング）内に収容してなる。調整リング５３は、後述するようにドライブロータ５１およびドリブンロータ５２を変位させることにより、ポンプ容量を変更する容量調整部材でもある。
【００３２】
ハウジング５０は全体としては厚肉の板状であり、図２に示すようにエンジン後方から見た場合に左右に長い楕円形状とされ、図の右上部から右側に向かって突出部５０ａが、また、図の左下部からは下方に向かって突出部５０ｂが、それぞれ形成されている。また、ハウジング５０の全体に後方、すなわちエンジン１の内方（図の手前側）に向かって開放された凹部５０ｃが形成されている。
【００３３】
この凹部５０ｃは前記ドライブロータ５１、ドリブンロータ５２、調整リング５３等を収容するものであり（以下、収容凹部５０ｃという）、ハウジング５０に後方から重ね合わされるカバー（図示せず）によって閉止される。また、収容凹部５０ｃの中央よりもやや右側位置には円形断面の貫通孔（図には示さず）が形成され、ここに挿通された入力軸５ａがハウジング５０の前方に突出している。
【００３４】
そうしてハウジング５０の前方に突出する入力軸５ａの前端部に、前記チェーン４の巻き掛けられるポンプスプロケット５ｂが取り付けられている一方、入力軸５ａの後端部は、ドライブロータ５１の中央部を貫通し、例えばスプラインによって嵌合されている。このドライブロータ５１には、外周にトロコイド曲線またはトロコイド曲線に近似した曲線（例えばインボリュート、サイクロイドなど）を有する外歯５１ａが複数（図の例では１１個）、形成されている。
【００３５】
一方、ドリブンロータ５２は円環状に形成され、その内周には前記ドライブロータ５１の外歯５１ａと噛み合うよう、これより歯数が１歯大きい（図の例では１２個の）内歯５２ａが形成されている。ドリブンロータ５２の中心は、ドライブロータ５１の中心に対して所定量、偏心しており、その偏心している側（図２の左上側）でドライブロータ５１の外歯５１ａとドリブンロータ５２の内歯５２ａとが噛み合っている。
【００３６】
また、ドリブンロータ５２は、調整リング５３の円環状の本体部５３ａによって摺動自在に嵌合支持されている。この例では調整リング５３には、その本体部５３ａの外周から周方向に所定の角度範囲（図の例では約５０°）に亘って径方向外方に張り出す２つの張出部５３ｂ，５３ｃと、径方向外方に大きく延びるアーム部５３ｄと、小さな突起部５３ｅとが一体に形成されている。調整リング５３について詳しくは後述する。
【００３７】
そのようにして調整リング５３に保持されたドライブロータ５１およびドリブンロータ５２によって、本実施形態では１１葉１２節のトロコイドポンプが構成されており、２つのロータ５１，５２の間の環状の空間には、互いに噛合する歯と歯の間に円周方向に並んだ複数の作動室Ｒが形成される。これらの各作動室Ｒは２つのロータ５１，５２の回転に連れてドライブロータ５１の外周に沿うように移動しながら、その容積が増減する。
【００３８】
すなわち、２つのロータ５１，５２の歯が互いに噛み合う位置から、図に矢印で示すロータ回転方向に約１８０度に亘る範囲（図２では左下側の範囲）では、２つのロータ５１，５２の回転に連れて徐々に作動室Ｒの容積が増大してゆき、オイルを吸入する吸入範囲となる。一方、残りの約１８０度に亘る範囲（図２では右上側の範囲）では、ロータ５１，５２の回転に連れて徐々に作動室Ｒの容積が減少してゆき、オイルを加圧しながら吐出する吐出範囲となる。
【００３９】
そして、それらの吸入範囲および吐出範囲にそれぞれ対応するように、ハウジング５０およびカバーに吸入ポートおよび吐出ポートが形成されている。図２にはハウジング５０の吸入ポート５０ｄおよび吐出ポート５０ｅのみを示すが、この吸入ポート５０ｄは、ハウジング５０の収容凹部５０ｃの底面において前記の吸入領域に対応するように開口し、同じく吐出領域に対応するように吐出ポート５０ｅが開口している。
【００４０】
吸入ポート５０ｄは、図ではハウジング５０の左下側に位置して、図示しないカバーの吸入ポートと連通しており、これを介してオイルストレーナの吸入管路に連通している。一方、吐出ポート５０ｅはハウジング５０の右上側に位置して、図示しないカバーの吐出ポートと連通するとともに、ハウジング５０の突出部５０ａに対応するように図の右側に向かって延びていて、オイルフィルタ６に向かう連通路６ａに至る。
【００４１】
かかる構成によりオイルポンプ５は、ポンプスプロケット５ｂに伝達されるクランクシャフト１３からの力を受けて入力軸５ａが回転すると、ドライブロータ５１およびドリブンロータ５２が互いに噛み合いながら回転し、それらの間に形成される作動室Ｒに吸入ポート５０ｄからオイルが吸入され、加圧されて吐出ポート５０ｅから吐出される。
【００４２】
こうして吐出されるオイルの流量は、オイルポンプ５の回転数（入力軸５ａの回転数）、すなわちエンジン回転数（エンジン回転速度）が高くなるほど多くなるので、エンジン１の高回転域においてクランクジャーナル１３ａなどの被潤滑部に供給されるオイルの量が多くなっても、メインギャラリ２０の油圧は所定以上の大きさに維持して、被潤滑部に適正にオイルを分配することができる。
【００４３】
−容量可変機構−
本実施形態のオイルポンプ５は、ドライブロータ５１の１回転につき吐出するオイルの量、すなわちポンプ容量を変更可能な容量可変機構を備えている。本実施形態では、主に吐出ポート５０ｅから導かれた油圧（吐出圧）によって前記の調整リング５３を変位させて、ドライブロータ５１およびドリブンロータ５２の吸入ポート５０ｄおよび吐出ポート５０ｅに対する相対的な位置を変更することにより、１回転当たりに吸入および吐出するオイルの流量を変更する。
【００４４】
詳しくは図２に表れているように、調整リング５３の本体部５３ａから径方向外方に延びる前記アーム部５３ｄには、圧縮コイルスプリング５４からの押圧力が作用しており、これによって調整リング５３が図の時計回り方向に回動しながら、少し上方に変位するように付勢されている。また、このような変位の際に調整リング５３は、ガイドピン５５，５６によって案内される。
【００４５】
すなわち、調整リング５３の張出部５３ｂ，５３ｃはそれぞれ湾曲する楕円の枠状に形成されていて、ハウジング５０の収容凹部５０ｃの底面に突設されたガイドピン５５，５６を収容している。これらガイドピン５５，５６はそれぞれ枠状の張出部５３ｂ，５３ｃの内周に接触して、その長手方向に摺動するようになっており、これにより調整リング５３の変位の軌跡が規定される。
【００４６】
こうしてガイドピン５５，５６によって案内されて変位する調整リング５３が、収容凹部５０ｃ内を図の右上側の高圧空間ＴＨと、左側から下側にかけての低圧空間ＴＬとに仕切っており、高圧空間ＴＨの油圧を受けて動作される。すなわち、高圧空間ＴＨは、ハウジング５０の収容凹部５０ｃ内において、調整リング５３の張出部５３ｃの外周とハウジング５０の壁部とによって囲まれ、かつ、第１および第２のシール材５７，５８によってオイルの流れが制限される領域に形成される。
【００４７】
そして、この高圧空間ＴＨには吐出ポート５０ｅの開口の一部が臨み、オイルポンプ５の吐出圧が高圧空間ＴＨに導かれて調整リング５３の外周面に作用するようになる。これに対して、吸入ポート５０ｄが連通する低圧空間ＴＬには概ね大気圧が作用しているので、調整リング５３は、高圧空間ＴＨからの油圧によって図の反時計回り方向に回動するように付勢されることになる。
【００４８】
一方で調整リング５３は、前記したようにアーム部５３ｄに作用するコイルスプリング５４の弾発力を受けて時計回り方向に付勢されており、主にそれらの付勢力によって変位するようになる。
【００４９】
さらに、本実施形態では、図２および図３にそれぞれ示すように、ハウジング５０内には高圧空間ＴＨに隣接するように制御空間ＴＣ（油圧室）を設けて、ここに電子制御式の制御弁６０（Oil Control Vale：以下、ＯＣＶという）から制御油圧を供給し、前記のような調整リング５３の変位を補助する力を発生させる。ＯＣＶ６０により制御油圧を高精度に調圧し、調整リング５３の変位を補助する力の大きさを調整することで、前記のようなポンプ容量の制御性が高くなる。
【００５０】
具体的には、前記調整リング５３の２つの張出部５３ｂ，５３ｃのほぼ中間においてその外周には第２のシール材５８が配設され、収容凹部５０ｃを取り囲むハウジング５０の壁部の内面と摺接するようになっている。この第２シール材５８は、高圧空間ＴＨと制御空間ＴＣとの間のシール部であって、前記のような調整リング５３の変位に伴いハウジング５０の壁部の内面に沿って移動することになる。
【００５１】
同様に調整リング５３のアーム部５３ｄの先端には第３のシール材５９が配設されて、対向するハウジング５０の壁部の内面と摺接するようになっている。なお、これら第２および第３のシール材５８，５９、および、前記した第１のシール材５７は、いずれも調整リング５３の厚み（図２および図３の紙面に直交する方向の寸法）と同程度の寸法を有し、耐摩耗性に優れた金属材や樹脂材にて形成されている。
【００５２】
こうして制御空間ＴＣは、ハウジング５０の収容凹部５０ｃ内において、調整リング５３の外周（詳しくは張出部５３ｂの外周）とアーム部５３ｄと、それらに対向するハウジング５０の壁部とによって囲まれ、かつ前記第２および第３のシール材５８，５９によってオイルの流れが制限される領域に形成される。そして、この制御空間ＴＣにおいて収容凹部５０ｃの底面に開口する制御油路６１によって、ＯＣＶ６０から制御油圧が供給される。
【００５３】
すなわち、制御油路６１はその一端部が前記のように制御空間ＴＣに臨む丸孔６１ａとして開口する一方、他端部がＯＣＶ６０の制御ポート６０ａに連通している。ＯＣＶ６０は、後述するＥＣＵ１００（図４を参照）からの信号を受けてスプールの位置が変更され、供給ポート６０ｂからのオイルを制御ポート６０ａから制御油路６１へ送り出す状態と、制御油路６１から排出されてきたオイルを制御ポート６０ａに受け入れて、ドレンポート６０ｃから排出する状態とに切り換えられる。
【００５４】
また、一例としてリニアソレノイドバルブであるＯＣＶ６０は、ＥＣＵ１００からの信号（Ｄｕｔｙ信号）に応じてスプールの位置が連続的に変化し、前記のように制御ポート６０ａから制御油路６１へ送り出すオイルの圧力をリニアに増大または減少させることができる。よって、例えば前記のようにエンジン回転数の上昇に伴い調整リング５３が図２の反時計回り方向に変位する際に、制御空間ＴＣに供給する制御油圧を増大させて、調整リング５３の変位を補助することができる。
【００５５】
一方、ＯＣＶ６０の制御によって制御空間ＴＣに供給する制御油圧を低下させれば、調整リング５３の反時計回り方向の変位を抑えることができる。これによりポンプ容量の制御性が向上する。なお、図２および図３に示すように本実施形態では、オイルポンプ５の吐出ポート５０ｅからオイルフィルタ６への連通路６ａの途中に分岐路６ｂを接続して、ＯＣＶ６０にオイルを供給するようにしているが、これに限らず、例えばオイルフィルタ６によって濾過されたオイルをＯＣＶ６０に供給するようにしてもよい。
【００５６】
（制御系）
図４は、エンジン１における制御系の概略構成を示すブロック図である。この図４に示すように、ＥＣＵ１００は、ＣＰＵ１０１、ＲＯＭ１０２、ＲＡＭ１０３およびバックアップＲＡＭ１０４などを備えている。ＲＯＭ１０２は、各種制御プログラムや、それら各種制御プログラムを実行する際に参照されるマップ等が記憶されている。ＣＰＵ１０１は、ＲＯＭ１０２に記憶された各種制御プログラムやマップに基づいて演算処理を実行する。また、ＲＡＭ１０３はＣＰＵ１０１での演算結果や各センサから入力されたデータ等を一時的に記憶するメモリであり、バックアップＲＡＭ１０４はエンジン１の停止時にその保存すべきデータ等を記憶する不揮発性のメモリである。これらＲＯＭ１０２、ＣＰＵ１０１、ＲＡＭ１０３、および、バックアップＲＡＭ１０４はバス１０７を介して互いに接続されるとともに、入力インターフェース１０５および出力インターフェース１０６と接続されている。
【００５７】
入力インターフェース１０５には、エンジン１の冷却水温度を検出する水温センサ１１０、吸入空気量を計測するエアフロメータ１１１、吸入空気温度を計測する吸気温センサ１１２、排気系に備えられたＯ2センサ１１３、アクセル開度を検出するアクセルポジションセンサ１１４、スロットルバルブの開度を検出するスロットルポジションセンサ１１５、クランクシャフト１３の回転位置を検出するクランクポジションセンサ１１６、カムシャフト１４の回転位置を検出するカムポジションセンサ１１７、前記メインギャラリ２０に配設されてメインギャラリ２０内の油圧を検出する油圧センサ１１８、および、前記メインギャラリ２０に配設されてメインギャラリ２０内の油温を検出する油温センサ１１９などの各種センサが接続されている。
【００５８】
出力インターフェース１０６には、インジェクタ７、点火プラグのイグナイタ８、スロットルバルブのスロットルモータ９、および、前記オイルポンプ５の吐出油圧を制御する前記ＯＣＶ６０などが接続されている。そして、ＥＣＵ１００は、前記した各種センサの検出信号に基づいて、インジェクタ７の燃料噴射制御、点火プラグの点火時期制御、および、スロットルバルブの開度制御などを含むエンジン１の各種制御を実行する。
【００５９】
そして、ＥＣＵ１００は、エンジン１の運転状態などに応じてオイルポンプ５のポンプ容量を調整し、これによってオイルポンプ５からの吐出油圧を制御する下記のポンプ容量制御を実行する。
【００６０】
（ポンプ容量制御）
以下、本実施形態において特徴とするポンプ容量制御について説明する。まず、このポンプ容量制御の概略について説明する。
【００６１】
前記クランクジャーナル１３ａ、カムジャーナル１４ａ，１５ａ、コネクティングロッド１２ａの軸受け部分などの被潤滑部の潤滑性能や被冷却部の冷却性能を確保しながらもエンジン１の燃料消費率の改善を図るためには、前記オイルポンプ５の動力を略必要最小限に抑えることが有効である。
【００６２】
しかしながら、従来技術にあっては、単にエンジン回転数（エンジン回転数の現在値）よってポンプ容量を制御しているのみであるため、前記被潤滑部に対する潤滑性能や被冷却部に対する冷却性能が適切に確保できない可能性がある。つまり、エンジン回転数が急速に上昇する状況にあっては、被潤滑部に対する潤滑性能や被冷却部に対する冷却性能を十分に確保するだけのオイル吐出圧力が得られない期間が生じてしまう可能性があった。逆に、エンジン回転数が急速に下降する状況にあっては、オイルポンプ５のポンプ容量の応答遅れに起因して必要以上にオイル吐出圧力が高くなってしまう期間が生じ、エンジン１の動力がオイルポンプ５によって浪費されてしまって燃料消費率の悪化に繋がってしまう可能性があった。
【００６３】
本実施形態ではこの点に鑑み、まず、オイルポンプ５の目標吐出油圧として、エンジン回転数（エンジン回転数の現在値）が高いほど、この目標吐出油圧を高く設定する。そして、エンジン回転数が上昇している期間中にあっては、そのエンジン回転数（エンジン回転速度）が高いほど、オイルポンプ５の実吐出油圧の目標吐出油圧への追従性を高く設定するようにポンプ容量を調整する。一方、エンジン回転数が下降している期間中にあっては、そのエンジン回転数が低いほど、オイルポンプ５の実吐出油圧の目標吐出油圧への追従性を高く設定するようにポンプ容量を調整する。
【００６４】
具体的に、前述した如くエンジン回転数等に応じて目標吐出油圧（オイルポンプ５から吐出されるオイルの圧力（油圧）の目標値）を設定するために、本実施形態にあっては、エンジン回転数および油温をパラメータとして目標吐出油圧を求めるための目標吐出油圧設定マップが前記ＲＯＭ１０２に記憶されている。図５は、この目標吐出油圧設定マップ（３次元マップ）の一例を示している。
【００６５】
この図５に示すように、目標吐出油圧設定マップでは、エンジン回転数が高いほど目標吐出油圧は高く設定され、かつ油温が高いほど目標吐出油圧は高く設定されるようになっている。これは、エンジン回転数が高いほど、被潤滑部に対する潤滑性能要求や被冷却部に対する冷却性能要求が高くなるので、これらの要求を満たすべく、エンジン回転数が高いほど目標吐出油圧を高く設定するものである。また、油温が高いほどオイルの冷却能力は小さくなるため、被冷却部に対する冷却性能が高く確保されるように、油温が高いほど目標吐出油圧を高く設定して被冷却部へのオイル供給量を増大させるものである。
【００６６】
なお、この目標吐出油圧設定マップにおける油温は前記メインギャラリ２０の内部（前記油温センサ１１９の配設箇所の近傍）における油温を対象としている。
【００６７】
以下、この目標吐出油圧設定マップの作成手順について説明する。この目標吐出油圧設定マップは、エンジン１を所定回転数で運転させた状況においてメインギャラリ２０における油圧と油温との関係を実験により求め、油温が許容範囲内に維持されるようにするとともに所定の安全率を考慮して油圧を求めることによって作成される。
【００６８】
具体的に、図６（ａ）はエンジン回転数が６０００ｒｐｍである場合のメインギャラリ２０における油圧と油温との関係を実験（軸受限界油圧試験）により求めた図である。この図６（ａ）に示すように、エンジン回転数を６０００ｒｐｍに維持した状態でポンプ容量を低下させて油圧が低下していった場合、この油圧の低下に伴って油温は徐々に上昇していくことになる。これは、前記油圧の低下に伴い、前記被冷却部に対する冷却性能が低下していくためである。そして、油圧が所定値まで低下した際（図中において油圧がＰ１となり油温がＴ１となった際）には、その後の油圧の低下量に対する油温の上昇勾配は急速に大きくなっていく。つまり、この油圧Ｐ１が油温変化の変曲点として現れる。これは、油圧の低下に伴って、被冷却部における発熱量とオイルによる冷却量とのバランスが崩れたためである。
【００６９】
このような油圧の変化に対する油温の変化（エンジン回転数が６０００ｒｐｍである場合の変化）、および、油温を許容温度以下に抑えるための所定の安全率に基づき、エンジン回転数６０００ｒｐｍを対象とした目標吐出油圧設定値（エンジン回転数６０００ｒｐｍにおいて油温を許容温度以下に抑えるための目標吐出油圧）が求められる。
【００７０】
同様に、図６（ｂ）はエンジン回転数が４０００ｒｐｍである場合のメインギャラリ２０における油圧と油温との関係を実験により求めた図である。この図６（ｂ）に示すように、エンジン回転数を４０００ｒｐｍに維持した状態でポンプ容量を低下させて油圧が低下していった場合、この油圧の低下に伴って油温は徐々に上昇していくことになる。そして、油圧が所定値まで低下した際（図中において油圧がＰ２となり油温がＴ２となった際）には、その後の油圧の低下量に対する油温の上昇勾配は急速に大きくなっていく。つまり、この油圧Ｐ２が油温変化の変曲点として現れる。これは、油圧の低下に伴って、被冷却部における発熱量とオイルによる冷却量とのバランスが崩れたためである。
【００７１】
このような油圧の変化に対する油温の変化（エンジン回転数が４０００ｒｐｍである場合の変化）、および、油温を許容温度以下に抑えるための所定の安全率に基づき、エンジン回転数４０００ｒｐｍを対象とした目標吐出油圧設定値（エンジン回転数４０００ｒｐｍにおいて油温を許容温度以下に抑えるための目標吐出油圧）が求められる。
【００７２】
以上の実験がエンジン１の各回転数毎（６００ｒｐｍ、１０００ｒｐｍ、２０００ｒｐｍ…６０００ｒｐｍ毎）に行われ、各エンジン回転数を対象とした目標吐出油圧設定値が求められて、図５に示した目標吐出油圧設定マップが作成され、前記ＲＯＭ１０２に記憶されている。
【００７３】
次に、前記目標吐出油圧設定マップを利用したポンプ容量制御について図７のフローチャートを用いて具体的に説明する。この図７に示すフローチャートは、エンジン１の運転中において数ｍｓｅｃ毎に実行される。
【００７４】
まず、ステップＳＴ１において、各センサからの情報を取得する。具体的には、前記クランクポジションセンサ１１６からのクランクシャフト１３の回転位置情報、油温センサ１１９からのメインギャラリ２０内の油温情報、油圧センサ１１８からのメインギャラリ２０内の油圧情報等を取得する。
【００７５】
その後、ステップＳＴ２に移り、前記目標吐出油圧設定マップにより、現在のエンジン回転数および油温に応じた目標吐出油圧を決定する。つまり、前記クランクポジションセンサ１１６によって取得されたクランクシャフト１３の回転位置情報に基づいて算出された現在のエンジン回転数、および、前記油温センサ１１９によって取得されたメインギャラリ２０内の現在の油温を目標吐出油圧設定マップに当て嵌めることによって目標吐出油圧を決定する。
【００７６】
次に、ステップＳＴ３に移り、今回ルーチンにおいて算出されたエンジン回転数は、前回ルーチンにおいて算出されていたエンジン回転数から変化したか否かを判定する。つまり、前回ルーチンにおいて算出されていたエンジン回転数を前記ＲＡＭ１０３に記憶させておき、今回ルーチンにおいて算出されたエンジン回転数と、ＲＡＭ１０３に記憶されているエンジン回転数（前回ルーチンにおけるエンジン回転数）とを比較する。
【００７７】
これらエンジン回転数が同一である場合、つまり、エンジン回転数の変化がない場合には、ステップＳＴ３でＮＯ判定されてステップＳＴ７に移る。このステップＳＴ７での動作については後述する。
【００７８】
一方、今回ルーチンにおいて算出されたエンジン回転数が、前回ルーチンにおいて算出されていたエンジン回転数から変化している場合にはステップＳＴ３でＹＥＳ判定されてステップＳＴ４に移る。このステップＳＴ４では、エンジン回転数の今回値（今回ルーチンにおいて算出されたエンジン回転数）からエンジン回転数の前回値（前記ＲＡＭ１０３に記憶されているエンジン回転数）を減算する。この場合、エンジン回転数が上昇傾向にある場合には算出値は正の値となる一方、エンジン回転数が下降傾向にある場合には算出値は負の値となる。
【００７９】
ステップＳＴ４での算出値が正の値、つまり、エンジン回転数が上昇傾向にある場合（本発明でいう「内燃機関の回転速度が上昇している期間中」）には、このステップＳＴ４でＹＥＳ判定されてステップＳＴ５に移る。このステップＳＴ５では、前記ＲＯＭ１０２に予め記憶されている回転上昇側マップ（図８（ａ））を参照して、前記目標吐出油圧に到達するまでの時間（目標吐出油圧到達時間）を設定する。
【００８０】
この回転上昇側マップは、エンジン回転数が上昇していく場合におけるエンジン回転数毎の目標吐出油圧到達時間を規定するマップであって、図８（ａ）からも明らかなように、エンジン回転数（エンジン回転数の上昇途中における現在のエンジン回転数）が高いほど、目標吐出油圧到達時間が短く設定されている。また、各エンジン回転数毎の目標吐出油圧到達時間はオイル等の熱容量に起因する応答遅れを考慮した値として設定されている。
【００８１】
また、この目標吐出油圧到達時間は、オイルポンプ５の目標吐出油圧を算出する演算式の時定数を決定するものである。この時定数は、前記回転上昇側マップより得られた目標吐出油圧到達時間に応じて決定されるものであって、この目標吐出油圧到達時間が短いほど時定数としては小さな値に設定される。
【００８２】
前記目標吐出油圧到達時間を設定して時定数を決定した後、ステップＳＴ７に移り、以下の式（１）によって、今回ルーチンにおけるオイルポンプ５の目標吐出油圧が算出される。
【００８３】
目標吐出油圧＝目標吐出油圧の前回値＋
｛（目標吐出油圧マップ値−目標吐出油圧の前回値）／時定数｝  …（１）
ここで目標吐出油圧マップ値は、前記目標吐出油圧設定マップによって求められた目標吐出油圧の値に相当する。
【００８４】
上述した如く、時定数は、前記回転上昇側マップより得られた目標吐出油圧到達時間に応じて決定されるものであって、この目標吐出油圧到達時間が短いほど時定数としては小さな値に設定されるため、この目標吐出油圧到達時間が短いほど、上記式（１）で求められる目標吐出油圧の変化量が大きく得られることで吐出油圧の応答性が高められるようになっている。つまり、エンジン回転数が高いほど、オイルポンプ５の実吐出油圧の目標吐出油圧への追従性が高められることになる。逆に、前記回転上昇側マップより得られた目標吐出油圧到達時間が長いほど時定数としては大きな値に設定されるため、この目標吐出油圧到達時間が長いほど、上記式（１）で求められる目標吐出油圧の変化量が小さく得られることで吐出油圧の応答性が低くなるようになっている。つまり、エンジン回転数が低いほど、オイルポンプ５の実吐出油圧の目標吐出油圧への追従性が低くされることになる。
【００８５】
なお、前記回転上昇側マップの特徴の一つとして、エンジン回転数が所定値（図８（ａ）に示すものでは３０００ｒｐｍ）以下である低回転域とその所定値を超えている高回転域とが予め規定されており、前記低回転域においてエンジン回転数が上昇していく場合における、エンジン回転数の単位上昇量に対する前記目標吐出油圧到達時間の変化量（目標吐出油圧到達時間の短縮分）に対して、前記低回転域から高回転域に移行する場合（例えばエンジン回転数が３０００ｒｐｍから４０００ｒｐｍに移行する場合）における、エンジン回転数の単位上昇量に対する前記目標吐出油圧到達時間の変化量（目標吐出油圧到達時間の短縮分）の方が大きく設定されている。
【００８６】
このようにして目標吐出油圧到達時間に応じた時定数を利用して目標吐出油圧が求められ、ステップＳＴ８では、この目標吐出油圧が得られるように前記ＯＣＶ６０が制御されることになる。つまり、ＥＣＵ１００からの信号（Ｄｕｔｙ信号）に応じてスプールの位置が連続的に変化され、前記制御ポート６０ａから制御油路６１へ送り出すオイルの圧力をリニアに増大または減少させることによって調整リング５３を変位させて目標吐出油圧が得られるようにする。また、この目標吐出油圧を得るための具体的な制御としては、例えば、前記油圧センサ１１８によって検出される油圧に基づいたフィードバック制御が行われる。
【００８７】
一方、前記ステップＳＴ４での算出値が負の値、つまり、エンジン回転数が下降傾向にある場合（本発明でいう「内燃機関の回転速度が下降している期間中」）には、このステップＳＴ４でＮＯ判定されてステップＳＴ６に移る。このステップＳＴ６では、前記ＲＯＭ１０２に予め記憶されている回転下降側マップ（図８（ｂ））を参照して、前記目標吐出油圧に到達するまでの時間（目標吐出油圧到達時間）を設定する。
【００８８】
この回転下降側マップは、エンジン回転数が下降していく場合におけるエンジン回転数毎の目標吐出油圧到達時間を規定するマップであって、図８（ｂ）からも明らかなように、エンジン回転数が低いほど、目標吐出油圧到達時間が短く設定されている。
【００８９】
前述と同様に、この目標吐出油圧到達時間は、オイルポンプ５の目標吐出油圧を算出する演算式（前記式（１））の時定数を決定するものである。この時定数は、前記回転下降側マップより得られた目標吐出油圧到達時間に応じて決定されるものであって、この目標吐出油圧到達時間が短いほど時定数としては小さな値に設定される。
【００９０】
その後、ステップＳＴ７において、前記式（１）によって、今回ルーチンにおけるオイルポンプ５の目標吐出油圧が算出される。
【００９１】
上述した如く、時定数は、前記回転下降側マップより得られた目標吐出油圧到達時間に応じて決定されるものであって、この目標吐出油圧到達時間が短いほど時定数としては小さな値に設定されるため、この目標吐出油圧到達時間が短いほど、上記式（１）で求められる目標吐出油圧の変化量が大きく得られることで吐出油圧の応答性が高められるようになっている。つまり、エンジン回転数が低いほど、オイルポンプ５の実吐出油圧の目標吐出油圧への追従性が高められることになる。逆に、回転下降側マップより得られた目標吐出油圧到達時間が長いほど時定数としては大きな値に設定されるため、この目標吐出油圧到達時間が長いほど、上記式（１）で求められる目標吐出油圧の変化量が小さく得られることで吐出油圧の応答性が低くなるようになっている。つまり、エンジン回転数が高いほど、オイルポンプ５の実吐出油圧の目標吐出油圧への追従性が低くされることになる。
【００９２】
なお、前記回転下降側マップの特徴の一つとして、エンジン回転数が所定値（図８（ｂ）に示すものでは３０００ｒｐｍ）以下である低回転域とその所定値を超えている高回転域とが予め規定されており、前記高回転域においてエンジン回転数が下降していく場合における、エンジン回転数の単位下降量に対する前記目標吐出油圧到達時間の変化量（目標吐出油圧到達時間の短縮分）に対して、前記高回転域から低回転域に移行する場合（例えばエンジン回転数が４０００ｒｐｍから３０００ｒｐｍに移行する場合）における、エンジン回転数の単位下降量に対する前記目標吐出油圧到達時間の変化量（目標吐出油圧到達時間の短縮分）の方が大きく設定されている。
【００９３】
このようにして目標吐出油圧到達時間に応じた時定数を利用して目標吐出油圧が求められ、ステップＳＴ８では、この目標吐出油圧が得られるように前記ＯＣＶ６０が制御されることになる。
【００９４】
なお、前記ステップＳＴ３でＮＯ判定されて（エンジン回転数が変化しておらず）ステップＳＴ７に移った場合には、現在の目標吐出油圧（前回以前のルーチンにおいて設定された目標吐出油圧）に従って前記ＯＣＶ６０が制御されることになる。
【００９５】
以上の動作が繰り返され、エンジン回転数の変更状況に応じて吐出油圧の応答性が調整されることになる。
【００９６】
以上説明したように、本実施形態では、エンジン回転数が上昇している期間中には、エンジン回転数が高いほど、オイルポンプ５の実吐出油圧が早期に目標吐出油圧に到達することになる。つまり、エンジン回転数が上昇している場合、各摺動部分に対する潤滑性能や冷却性能を十分に確保するために必要となるオイル吐出圧力は高くなり、しかも、エンジン回転数が高いほど、その要求されるオイル吐出圧力は高くなる。このような状況で、オイル吐出圧力が高くなる側へのオイルポンプ５の作動の追従性を高めることで、各摺動部分に要求される潤滑性能や冷却性能を早期に達成することが可能になる。また、エンジン回転数が上昇している期間中であっても、エンジン回転数が比較的低い場合には、実吐出油圧の目標吐出油圧への追従性を低く設定している。このため、必要以上に吐出油圧が高くなってしまうことを抑制でき、エンジン１の動力がオイルポンプ５によって浪費されてしまうことが抑制できて燃料消費率の改善を図ることが可能になる。
【００９７】
一方、エンジン回転数が下降している期間中には、エンジン回転数が低いほど、オイルポンプ５の実吐出油圧が早期に目標吐出油圧に到達することになる。つまり、エンジン回転数が下降している場合、各摺動部分に対する潤滑性能や冷却性能を確保するために必要となるオイル吐出圧力は比較的低く、しかも、エンジン回転数が低いほど、その要求されるオイル吐出圧力は低くなる。このような状況で、オイル吐出圧力が低くなる側へのオイルポンプ５の作動の追従性を高めることで、エンジン１の動力がオイルポンプ５によって浪費されてしまうことを抑制でき、燃料消費率の改善を図ることが可能になる。また、エンジン回転数が下降している期間中であっても、エンジン回転数が比較的高い場合には、実吐出油圧の目標吐出油圧への追従性を低く設定している。このため、高回転時に各摺動部分に要求される潤滑性能や冷却性能を継続して高く維持することが可能になる。
【００９８】
（他の実施形態）
以上説明した実施形態では、自動車用の多気筒ガソリンエンジン１に搭載されたオイルポンプ５に本発明を適用した場合について説明した。本発明はこれに限らず、自動車用以外のエンジンに搭載されたオイルポンプに適用することも可能である。例えば、ディーゼルエンジンに搭載されたオイルポンプに適用することが可能である。
【００９９】
また、前記実施形態における回転上昇側マップ（図８（ａ））および回転下降側マップ（図８（ｂ））にあっては、エンジン回転数の変化量に対する目標吐出油圧到達時間の変化量が、各エンジン回転数毎に異なるものとなっていた。本発明はこれに限らず、エンジン回転数の変化量に対する目標吐出油圧到達時間の変化量を均等にしてもよい。
【０１００】
また、前記実施形態では、容量可変機構を備えた可変容量型オイルポンプに本発明を適用した場合について説明したが、エンジン（内燃機関）の動力を受けて作動する吐出圧力可変機構（請求項でいう容量可変機構の概念に含まれるものであって、吐出油圧を可変とする機構）を備えたオイルポンプにも本発明は適用可能である。
【産業上の利用可能性】
【０１０１】
本発明は、自動車用エンジンに搭載された可変容量型オイルポンプの目標吐出油圧の制御に適用可能である。
【符号の説明】
【０１０２】
１      エンジン（内燃機関）
１３    クランクシャフト
５      オイルポンプ（可変容量型オイルポンプ）
１００  ＥＣＵ
１１６  クランクポジションセンサ
１１８  油圧センサ
１１９  油温センサ
【図１】
2014159759.tif 000003
【図２】
2014159759.tif 000004
【図３】
2014159759.tif 000005
【図４】
2014159759.tif 000006
【図５】
2014159759.tif 000007
【図６】
2014159759.tif 000008
【図７】
2014159759.tif 000009
【図８】
2014159759.tif 000010